(57)【要約】【課題】集塵に関わる部品と係合可能な着脱ボタンに、集塵に関わる部品の欠品を検知する機能を持たせることができるようにするとともに、欠品状態下で蓋体が閉じられることがあっても、蓋体からの力が着脱ボタンの軸に直接加わるのを防止できるようにする。【解決手段】ホース接続孔と接続可能なケース孔を有し、集塵に関わる部品が装着可能で、集塵室内に着脱自在に収納される集塵ケース１７を備え、集塵ケースは、後部側に開口部を有し、この開口部にフィルタ付き開閉蓋２７が設けられているとともに、前部に前記部品と係合可能な着脱ボタン３０が外部操作可能に軸支され、かつ着脱ボタン近傍の頂壁上面に、集塵室蓋体の閉塞時にこの蓋体内面のリブと当接可能な係止面１７ｃが形成され、着脱ボタンが係合の方向に前記部品と係合すべき位置を超えて回動した場合に、係止面には着脱ボタンの操作部が重畳されて蓋体のリブとの間が遮られるように構成する。【選択図】図３
2010029368.tif 000002
【特許請求の範囲】
【請求項１】
電動送風機が内蔵され、該電動送風機の上流側、内面にリブを有する蓋体により開閉可能な集塵室とホース接続孔を有する掃除機本体と、前記ホース接続孔と接続可能なケース孔を有し、集塵に関わる部品が装着可能で、前記集塵室内に着脱自在に収納されて前記ケース孔と前記ホース接続孔が接続される集塵ケースとを備え、
前記集塵ケースは、後部側に開口部を有し、該開口部にフィルタ付き開閉蓋が設けられているとともに、前部に前記部品と係合可能な着脱ボタンが外部操作可能に軸支され、かつ該着脱ボタン近傍の頂壁上面に、前記蓋体の閉塞時に前記リブと当接可能な係止面が形成されており、
前記着脱ボタンが前記係合の方向に前記部品と係合すべき位置を超えて回動した場合に、前記係止面には該着脱ボタンの操作部が重畳されて前記蓋体のリブとの間が遮られるように構成されていることを特徴とする電気掃除機。
【請求項２】
前記集塵室に、前記集塵ケースが収納されたときに、前記着脱ボタンの部品解除方向の動きを規制する突起を設けたことを特徴とする請求項１記載の電気掃除機。
【請求項３】
前記集塵に関わる部品は、平板状の口枠体を有する集塵袋であり、前記着脱ボタンは、該集塵袋の口枠体と係合し該口枠体の穴周縁を前記ケース孔の内端周縁に押し当てることで密封固定可能であることを特徴とする請求項１又は請求項２記載の電気掃除機。
【請求項４】
前記集塵に関わる部品は、前記着脱ボタンを前記係合すべき位置に保持しかつ前記集塵ケースにおける着脱ボタン貫通部をシールするシール付きアタッチメントであり、前記集塵ケースは、該シール付きアタッチメントを取り付けることで、当該集塵ケースの前記開閉蓋のフィルタのみでゴミを直接受けるフィルタ集塵方式への変換が可能であることを特徴とする請求項１又は請求項２記載の電気掃除機。
【請求項５】
前記シール付きアタッチメントに脱臭材を設けたことを特徴とする請求項４記載の電気掃除機。
【請求項６】
集塵に関わる部品は、前記集塵ケース内を旋回室に形成する旋回室アタッチメントであり、前記集塵ケースは、該旋回室アタッチメントを取り付けることで、当該集塵ケース内に形成される旋回室内でゴミを旋回させて空気から分離するサイクロン式集塵形態への変換が可能であることを特徴とする請求項１又は請求項２記載の電気掃除機。
【請求項７】
前記旋回室アタッチメントは、
前記ケース孔よりも大きな穴を有し、この穴の前端周縁を前記集塵ケース内の前記ケース孔周縁に押し当てた状態で前記着脱ボタンと係合可能な平板部、該平板部の上部に一体化されて前記集塵ケースにおける着脱ボタン貫通部を密封するシール部、及び前記平板部の後端面の周辺の少なくとも対向する２辺に設けられた係止部を有する穴付き平板アタッチメントと、
前記穴付き平板アタッチメントの前記係止部と係合可能な複数の爪を有するとともに、これら爪による前記穴付き平板アタッチメントとの係合状態を解除するための係合解除ボタンを前記着脱ボタンによる前記穴付き平板アタッチメントとの係合部から離れた側に位置する辺に設けた弧状アタッチメントとにより構成されていることを特徴とする請求項６記載の電気掃除機。
【請求項８】
前記集塵ケースは、前記穴付き平板アタッチメントのみを取り付けることで、当該集塵ケースの前記開閉蓋のフィルタのみでゴミを直接受けるフィルタ集塵方式への変換が可能であることを特徴とする請求項７記載の電気掃除機。
【発明の詳細な説明】
【技術分野】
【０００１】
本発明は、掃除機本体の集塵室に着脱自在な集塵ケースを有し、集塵方式に例えば集塵袋等の部品を使用可能な電気掃除機、特に集塵に関わる部品の欠品を使用者に知らせることが可能な電気掃除機に関する。
【背景技術】
【０００２】
電動送風機が内蔵され、この電動送風機の前側（上流側）に集塵室が形成され、かつその集塵室の上部が開口された掃除機本体と、この本体の前記開口に開閉可能に装着された蓋体と、平板状の口枠体を有し集塵室内に配置される集塵袋と、集塵室の前壁に設けられた接続孔およびその周囲に設けたシール部材と、集塵袋の口枠体を裏面より押さえることでこの口枠体をシール部材に当接させて固定するクランプ部材と、蓋体が閉じられる際に集塵袋の口枠体をシール部材側へ移動させる案内部材とを備え、クランプ部材による口枠体の固定により集塵室前壁の接続孔と集塵袋の口枠体の穴とがシールされた状態で接続されるようにするとともに、クランプ部材が口枠体に乗り上げても、蓋体が閉じられる際に集塵袋の口枠体を案内部材によってシール部材側へ移動させることで、クランプ部材を口枠体から外れさせる（乗り越えさせる）ようにした電気掃除機は知られれている（例えば、特許文献１参照）。
【０００３】
【特許文献１】特開平０８−２３８２０２号公報（図１、図１９）
【発明の開示】
【発明が解決しようとする課題】
【０００４】
しかしながら、クランプ部材によって口枠体を裏面から固定するとともに、蓋体が閉じられる際に集塵袋の口枠体を案内部材によってシール部材側へ移動させるようにしたものにあっても、例えば口枠体が本来置かれる位置に収まっていない場合のように何らかの原因でクランプ部材の口枠体への乗り上げ状態が解消されなかったときや、集塵袋が装着されずに空のまま蓋体が閉まったときに、蓋体からの力がクランプ部材の軸に直接加わるのを避けられず、軸の破損の可能性が高かった。
【０００５】
本発明の技術的課題は、集塵に関わる部品と係合可能な着脱ボタンに、集塵に関わる部品の欠品を検知する機能を持たせることができるようにするとともに、欠品状態下で蓋体が閉じられることがあっても、蓋体からの力が着脱ボタンの軸に直接加わるのを防止できるようにすることにある。
【課題を解決するための手段】
【０００６】
本発明に係る電気掃除機は、電動送風機が内蔵され、電動送風機の上流側、内面にリブを有する蓋体により開閉可能な集塵室とホース接続孔を有する掃除機本体と、ホース接続孔と接続可能なケース孔を有し、集塵に関わる部品が装着可能で、集塵室内に着脱自在に収納されてケース孔とホース接続孔が接続される集塵ケースとを備え、集塵ケースは、後部側に開口部を有し、この開口部にフィルタ付き開閉蓋が設けられているとともに、前部に前記部品と係合可能な着脱ボタンが外部操作可能に軸支され、かつ着脱ボタン近傍の頂壁上面に、蓋体の閉塞時にそのリブと当接可能な係止面が形成されており、着脱ボタンが係合の方向に前記部品と係合すべき位置を超えて回動した場合に、係止面には着脱ボタンの操作部が重畳されて蓋体のリブとの間が遮られるように構成されてなるものである。
【発明の効果】
【０００７】
本発明の電気掃除機によれば、集塵に関わる部品が装着されていない場合、着脱ボタンが係合の方向に前記部品と係合すべき位置を超えて回動し、着脱ボタンの操作部が集塵ケース頂壁上面の係止面と重畳して蓋体のリブとの間を遮り、蓋体による集塵室の閉塞を不可能にする。これにより、部品の欠品を使用者に知らせることができる。またこのとき、着脱ボタンの操作部に蓋体のリブによる押し付け力が加わっても、既述したように着脱ボタンの操作部は集塵ケース頂壁上面の係止面と重なった状態にあるため、蓋体からの力は、着脱ボタン操作部のバックアップとして作用する係止面が受け、着脱ボタンの軸に直接加わるのが防止される。
【発明を実施するための最良の形態】
【０００８】
実施の形態１．
以下、図示実施の形態により本発明を説明する。
図１は本発明の実施の形態１に係る電気掃除機の全体構成を示す斜視図、図２はその掃除機本体の集塵ケース収納時の内部構成を示す縦断面図、図３は図２のＡ部の拡大断面図、図４はその掃除機本体から蓋体と集塵ケースを取り外した状態を後方より示す斜視図、図５はその集塵ケースの構成を前方より示す分解斜視図、図６はその集塵ケースの構成を後方より示す分解斜視図、図７はその集塵ケースの横断面図、図８はその集塵ケースの正面図、図９はその集塵ケースの斜視図、図１０はその着脱ボタンによる部品（ここでは集塵袋の口枠体）係合前の状態を示す要部断面図、図１１は着脱ボタンによる欠品検知状態を示す要部断面図、図１２は部品取付時の着脱ボタンの状態を示す要部断面図、図１３は掃除機本体の集塵室の構成を示す正面図、図１４は図１３のＢ−Ｂ線矢視断面図である。
【０００９】
本実施の形態の電気掃除機は、図１のように掃除機本体１と、これに接続するホース１０１、握り部１０２、延長管１０３及び床ブラシ１０４等を有するホースユニットと、を備えている。ホース１０１の一端には、ホース接続部１０１ａが設けられ、掃除機本体１のホース接続孔１０に着脱自在に接続されるようになっているとともに、ホース１０１の他端には、掃除機本体１の吸引力の機能動作を切り換えるための操作部１０５を有する握り部１０２が設けられており、操作部１０５によって電力の供給を制御されるようになっている。また、握り部１０２の末端先端には、着脱自在に延長管１０３が接続され、延長管１０３の先端部には、床ブラシ（又は吸込みノズル）１０４が着脱自在に接続されている。
【００１０】
掃除機本体１には、図１〜図４のように電動送風機２、電力制御基板３、コードリール４が内蔵され、電動送風機２の前方（上流側）に、電動送風機２によって吸引された塵埃、ごみ等を捕獲して集積する集塵室５が、内面にリブ６８を有する蓋体６６により開閉可能に設けられてシールされるように構成されているとともに、ホース接続孔１０が形成されており、ホース接続孔１０の内端にリング状のシール部材１１が設けられている。また、集塵室５内には、ホース接続孔１０と接続可能なケース孔１７ａを有する集塵ケース１７が着脱自在に収納されるようになっている。さらに集塵室５には、図１４のようにその後面に、下方に向かうにしたがって前方に傾斜するケースガイド５ａが設けられているとともに、集塵ケース１７のケース孔１７ａの周縁に前方に突出する円弧状リブ１８が形成され、集塵ケース１７を集塵室５内に収納した際には、ケースガイド５ａによるくさび効果により、集塵ケース１７が前方に押しやられ、円弧状リブ１８がシール部材１１に当接してシールされ、ホース１０１と集塵ケース１７との接続部にエア漏れが無いように構成されている。なお、集塵室５内における集塵ケース１７の深さ方向の位置は、図３に示す蓋体６６のラッチ１９が閉まることで規定されるようになっていて、くさび空間内における集塵ケース１７の深さ位置によって円弧状リブ１８のシール部材１１に対する押し付け圧力が規定されるようになっている。また、ここでは円弧状リブ１８をシール部材１１に当接させることでシールするようにしているが、図５及び図８のように円弧状リブ１８周辺が平坦面２０に形成されており、この平坦面２０をシール部材１１に当接させることでシールするようにしてもよい。この場合は、円弧状リブ１８の外径をホース接続孔１０（あるいはシール部材１１）の内径より小さくして、円弧状リブ１８をホース接続孔１０（あるいはシール部材１１）内に挿入する、又は集塵ケース１７の前端面のケース孔１７ａ周りを含む全面を面一となるように形成すればよい。
【００１１】
これを更に詳述すると、集塵ケース１７は、図５及び図６のように後部側、つまり後部から下部にかけて開口部を有し、この開口部にフィルタ付き開閉蓋２７が開閉自在に取り付けられていて、集塵したゴミの廃棄が容易となっている。開閉蓋２７は、下部に設けた軸２７ａを集塵ケース本体側に軸支された基体２７Ａと、基体２７Ａに離脱可能に取り付けられたステンレス製のプレフィルタ２７Ｂと、プレフィルタ２７Ｂの後方に配置され、下部に設けた軸２７ｂを基体２７Ａ側に軸支されて揺動自在に取り付けられたプリーツ状フィルタ２７Ｃとを有し、これにより各フィルタ２７Ｂ，２７Ｃを散けさせることができてその表裏面を清掃ブラシ３９（図９）によって清掃できるようになっているとともに、プリーツ状フィルタ２７Ｃの自由端、つまり枠部上辺に突設した係止部２７ｃが、集塵ケース１７に軸支されたフィルタ開閉ボタン３１のフック３１ａと係合可能に構成され、係止部２７ｃをフック３１ａで止着することによって、各フィルタ２７Ｂ，２７Ｃと集塵ケース本体を一体化できるようになっている。フィルタは最もゴミが接触する上流側には、大きなゴミを捕集する目的で目は粗いが、はく離性が良いステンレスフィルタ（又はネットフィルタ）を用い、それよりも後方（下流側）には、目の細かいプリーツ状のフィルタを用いている。なお、フィルタ開閉ボタン３１すなわちフック３１ａは、図示しないばねによって常時係合方向に付勢されている。また、集塵ケース本体と開閉蓋すなわち基体２７Ａとの接触部には、塵埃や空気の洩れの無いように、図５のように基体２７Ａ側に全周に亘ってパッキン２９が設けられている。
【００１２】
集塵ケース１７の前部、つまり集塵ケース１７の前方、上側には、図２、図３、図５、図６、図９及び図１２のように集塵に関わる部品（ここでは集塵袋の平板状の口枠体４０：袋部分は図示せず）と係合可能な爪３０ｂを有する着脱ボタン３０が、その操作レバー部３０ｃを外部（ケース外部である）操作可能に軸支され、軸部３０ａに取り付けられた図示しないばねによって常時係合方向（図１２で見て時計回り方向）に付勢されている。したがって、集塵ケース１７の頂壁１７ｂには、着脱ボタン３０の貫通孔５１が形成されている。
【００１３】
また、集塵ケース１７の着脱ボタン３０近傍の頂壁上面、つまり貫通孔５１周縁部の一部の上面は、図３のように蓋体６６の閉塞時にそのリブ６８と当接可能で、かつ集塵に関わる部品（集塵袋の口枠体４０）の欠品時には、図１１のように着脱ボタン３０の操作レバー部３０ｃが重畳可能な係止面１７ｃに形成されている。
【００１４】
また、集塵ケース１７の貫通孔５１周縁部の係止面形成部位の下面は、図１０のように着脱ボタン３０の部品解除操作時の上限位置を規定するストッパ１７ｄとして機能するようになっている。
【００１５】
また、集塵ケース１７内の着脱ボタン３０設置部の下方には、図２のように集塵袋の口枠体４０の下辺部の装着溝１７ｅが形成され、その近傍の下面側に、図６のように開閉蓋２７の軸２７ａの支持部１７ｆが配置されており、これによって集塵ケース１７の分割が集塵袋の口枠体４０寄りとなり、口枠体４０の装着時、装着溝１７ｅが目視しやすく、装着性が向上している。さらに、集塵ケース１７内のケース孔１７ａの周縁部にリング状のシール部材７０が設けられている。したがって、集塵袋の口枠体４０の下辺を装着溝１７ｅに装着し、口枠体４０の上辺を着脱ボタン３０の爪３０ｂと係合させることで、図１２のように着脱ボタン３０により口枠体４０を裏面側から押圧し、口枠体４０の穴周縁をケース孔１７ａの内周縁部、つまりリング状のシール部材７０に押し当てた状態で固定することができ、接続部を気密に接続することができる。なお、装着溝１７ｅは集塵袋の口枠体４０以外の集塵に関わる部品の使用を考慮して、図７のように二段構え構造２２としてもよい。これにより、デッドスペースが生じた場合、これを有効に利用して装着物毎に押え加重、集塵容量、アタッチメント補強等、規制することができる。
【００１６】
また、集塵ケース１７の内側面は、図６のように集塵袋が満杯状態でも集塵ケース内壁２４に密着しないように側面リブ２５が設けられている。側面リブ２５には、集塵袋に触れても破れないように角部にＲが付けられている。この側面リブ２５のため、集塵袋が膨らんだ状態でも電動送風機２への風路が確保される。
【００１７】
着脱ボタン３０は、軸部３０ａを中心に上方向に指の掛かる操作レバー部３０ｃに、操作時の指の滑りを防止する凸リブ３０ｄが形成され、軸部３０ａの後方に爪３０ｂ及びこれから連続して後方に延びるスロープ形成片部３０ｅが配置されていて、操作レバー部３０ｃと軸部３０ａと爪３０ｂ（スロープ形成片部３０ｅ）の３点を結べば略Ｖ字の形状となるように形成され、操作レバー部３０ｃと爪３０ｂすなわちスロープ形成片部３０ｅとの間に、係止面１７ｃとストッパ１７ｄが形成された頂壁の貫通孔５１周縁部が位置するように設定されている。そして、操作レバー部３０ｃが係止面１７ｃと係合することで、集塵に関わる部品（集塵袋の口枠体４０）の欠品時の着脱ボタン３０の自由揺動の下限位置が規定され（図１１）、またスロープ形成片部３０ｅがストッパ１７ｄと係合することで、着脱ボタン３０の部品解除操作時の上限位置が規定されるようになっている（図１０）。このためムダな構造が無く小型で制度の高い動作が可能となっている。
【００１８】
指を掛ける場所すなわち凸リブ３０ｄ形成部は、軸部３０ａと指の触れるポイントを結んだ線より鈍角（外向き）な面を持ち、指へのエッジ感を緩和している。
【００１９】
スロープ形成片部３０ｅは、集塵袋の口枠体４０装着時、口枠体４０が常に当り、着脱ボタン３０をばねの弾性力に抗して押し上げるように設定されている。
【００２０】
集塵ケース１７の上面には、図５、図６及び図９のように着脱ボタン３０とフィルタ開閉ボタン３１に跨るボタンカバー３４が設けられている。このように２つのボタン３０，３１に跨るボタンカバー３４とすることにより、カバー固定用の爪も図６のように前爪３５と後爪３６の２ヶ所になり、かつ部品点数も１部品となり、効率的である。２つのボタン３０，３１にそれぞれカバーを設ける方法も考えられるが、部品点数が増えるだけでなく、カバー固定用の爪もそれぞれカバーの前後に設ける必要があり、爪勘合部が４ヶ所となり、構造が複雑になる。
【００２１】
また、集塵ケース１７上面には、図５、図６、図８及び図９のように前後に倒れる可動式ハンドル３７が設けられている。この可動式ハンドル３７は、略垂直でストッパ３８（図９）が働き、フィルタ開閉ボタン３１を操作するとき、会い向かいで安定するので、フィルタ開閉ボタン３１の操作がし易くなっている。なお、可動式ハンドル３７は、固定式ハンドルより集塵スペースが大きく取れるメリットがあるが、安定性の観点から固定式ハンドルの採用も可能である。
【００２２】
また、ボタンカバー３４上方で、可動式ハンドル３７の動作に影響のない場所に、図９のように清掃ブラシ３９が装着可能になっている。ボタンカバー３４は集塵ケース１７に対し、前後方向で中央に設けられ、集塵部（集塵ケース内部）と隔離するために二重壁構造となっている。集塵ケース１７は水洗い可能な仕様のため、部品の角部や凹み部、二重壁部は水が溜まり易く、乾き難い。特に、ボタンカバー３４の角部は水が溜まり易いため、ボタンカバー３４の角部に図示しない水切り穴が設けられている。水切り穴は、効率の観点から空気吸気口と水分排気口の少なくとも２個必要であり、外観上見苦しい。このため、水切り穴を隠せるように清掃ブラシ３９の装着部が配置されている。
【００２３】
ところで、集塵ケース１７を集塵室５に装着した時に、着脱ボタン３０の動作に規制がないと、集塵袋の口枠体４０や、後述のアタッチメントが誤使用により外れてしまう可能性がある。外れてしまった場合は、本体蓋が閉まらず、使用者に欠品を知らせることができるが、誤った着脱ボタン操作を事前にできなくする対策が望まれる。
【００２４】
そのために、集塵室５の前側に、図１２乃至図１４のように集塵ケース１７が収納されたときに、着脱ボタン３０と係合してその部品解除方向の動きを規制する突起５９を設けてある。すなわち、突起５９は、集塵室５内への集塵ケース１７装着時に、着脱ボタン３０の解除動作に必要な領域６０内に進入して、着脱ボタン３０の解除操作をできなくする機能を持っており、これによって誤動作防止が可能となる。解除方向に動かないため、集塵袋の口枠体４０はもちろん、後述するその他のアタッチメントも同様に誤使用防止で取れてしまう可能性がなくなる。
【００２５】
以上の構成を有する本実施の形態の電気掃除機において、集塵袋の装着は以下のように行われる。まず、掃除機本体１の蓋体６６を開け、集塵室５内より集塵ケース１７を取り出す。次いで、フィルタ開閉ボタン３１により開閉蓋２７を開放して、開口部より集塵ケース１７内に集塵袋を取り付ける。
【００２６】
集塵袋の取付は、まず集塵袋の口枠体４０の下辺部を装着溝１７ｅに挿入し、その接触ラインを軸として口枠体４０上部を回転させて着脱ボタン３０のスロープ形成片部３０ｅを滑らせ、爪３０ｂを超えさせる。これにより、口枠体４０は裏面側から爪３０ｂにより押圧され、口枠体４０の穴周縁をケース孔１７ａの内周縁部、つまりリング状のシール部材７０に押し当てた状態で固定される。このとき、着脱ボタン３０は、図１２のように操作レバー部３０ｃとスロープ形成片部３０ｅが、これらの中間に集塵ケース１７の頂壁１７ｂの貫通孔５１の周縁部が位置するように、つまり操作レバー部３０ｃとスロープ形成片部３０ｅの間に係止面１７ｃとストッパ１７ｄが位置するような姿勢（以下、これを「中間姿勢」という）に固定され、バランスを保っている。つまり、集塵袋の口枠体４０が装着され安定した位置（図１２）は、着脱ボタン３０の上限位置（図１０）と下限位置（図１１）の間となる。
【００２７】
次いで、開閉蓋２７を閉じ、可動式ハンドル３７を持って集塵ケース１７を集塵室５内に挿入し、そのまま下方に押し込む。これによりケースガイド５ａによるくさび効果により、集塵ケース１７が前方に押しやられ、円弧状リブ１８がシール部材１１に当接した状態で接続される。また、このとき、集塵室５側の突起５９が着脱ボタン３０の解除動作に必要な領域６０内に進入してロックし、着脱ボタン３０の解除操作をできなくする。その後、掃除機本体１の蓋体６６を閉じる。これにより、着脱ボタン３０の操作レバー部３０ｃは、図３のように蓋体６６に押された状態で集塵室５内に収容され、蓋体６６によっても着脱ボタン３０の解除操作をできなくする。
【００２８】
もし、集塵ケース１７内に集塵袋を取り付けずに、集塵ケース１７を集塵室５内に挿入した場合は、着脱ボタン３０の操作レバー部３０ｃがばね力によって係合方向に回動し、前記部品と係合すべき位置（図３、図１２）を超え、集塵ケース１７頂壁の係止面１７ｃ上に重畳状態で係合し（図１１）、蓋体６６のリブ６８との間を遮る。この状態で蓋体６６を閉じようとしても、リブ６８が着脱ボタン３０の操作レバー部３０ｃに当たるので蓋体６６による集塵室５の閉塞が不可能となる。これにより、集塵に関わる部品である集塵袋の欠品を使用者に知らせることができる。
【００２９】
また、このとき、着脱ボタン３０の操作レバー部３０ｃに蓋体６６のリブ６８による押し付け力が加わっても、着脱ボタン３０の操作レバー部３０ｃは集塵ケース１７頂壁の係止面１７ｃと重なった状態にあるため、蓋体６６からの力は、操作レバー部３０ｃのバックアップとして作用する係止面１７ｃが受け、着脱ボタン３０の軸部３０ａに直接加わるのが防止される。
【００３０】
また、集塵室５から集塵ケース１７を引き出せば、自分のやり易い場所、目の届く場所で作業ができるため、集塵袋の着脱作業が容易である。さらに、ゴミ捨ての際、ワンタッチでゴミに触らずにすてられるとともに、ゴミを溜める場所が独立しているため、洗浄可能で、清潔を維持することができる。
【００３１】
ところで、操作レバー部３０ｃの位置の変化が大きい程、構成の余裕および精度は上がる。操作レバー部３０ｃの位置変化は着脱ボタン３０の軸部３０ａと爪３０ｂまでの距離に関係する。このため、ここでは軸部３０ａから爪３０ｂまでの距離を例えば１０mmに設定するとともに、軸部３０ａから操作レバー部３０ｃ先端までの距離を略２５mmとなるように設定してある。これにより、爪３０ｂが１mm動作する毎に操作レバー部３０ｃ先端を２．５mm変化させることができ、操作レバー部３０ｃの位置変化を大きくすることができる。このため、集塵に関わる部品である集塵袋の欠品を使用者にわかり易く知らせることができる。
【００３２】
なお、集塵袋の口枠体４０の大きさは使用者の混乱を避けるため、共通の大きさに統一されるのが一般的で望ましい。また、これにより集塵ケース１７の口枠体４０取付部が規格化されるので、設計が容易となる。
【００３３】
実施の形態２．
図１５は本発明の実施の形態２に係る電気掃除機の集塵ケースにおける部品（ここではシール付きアタッチメント）取付時の着脱ボタンの状態を示す要部断面図、図１６はその部品を前方より示す斜視図、図１７はその部品を後方より示す斜視図、図１８はその部品の上面図、図１９はその部品不使用時の部品収納形態を示す模式図であり、各図中、前述の実施の形態１のものと同一部分には同一符号を付してある。なお、説明にあたっては前述の図１〜図１４を参照するものとする。
【００３４】
集塵袋集塵方式であっても集塵袋が無かった場合や、ランニングコストを下げるため、集塵袋を使わないフィルタ集塵方式による掃除を望む場合が考えられる。この場合、前提として、集塵袋を使用でき、着脱ボタン３０を有し、着脱ボタン３０が集塵袋の装着を知らせる手段となり、掃除機本体１の蓋体６６の閉まりによって使用者に集塵袋の有無を知らせる機能を持つ前述の実施の形態１の電気掃除機であることが望ましい。
【００３５】
しかし、この場合、集塵袋を未装着にすると、掃除機本体１の蓋体６６が閉まらず、掃除ができないことになる。ここで注意すべき点は、集塵袋使用時は、外部へは集塵室５と蓋体６６でシールされ、ホース１０１から集塵袋へ完全に風路がつながっていたため、ゴミが外部へ飛散することは無かったが、集塵袋を取ってしまうと着脱ボタン構成部分に集塵ケース１７に外部との貫通孔５１が出現し、ゴミが集塵ケース１７から洩れてしまうことである。
【００３６】
そのため、集塵袋無での掃除を可能にするアタッチメントが必要となるが、このアタッチメントには以下の４つの要素を必要とする。
すなわち、１つ目の要素は、集塵袋の口枠体４０の役割をはたす（着脱ボタン３０を中間姿勢に保持する機能を持つ）こと。
２つ目は、集塵ケース１７内に溜まったゴミを外部に出さないためのシール機能を持つこと。
３つ目は、着脱ボタン３０を中間姿勢に保持できる位置にアタッチメントを掃除動作中も安定して固定できるようにすること。
４つ目は、集塵袋使用時にアタッチメントの収納性が良いこと。
【００３７】
本実施の形態の電気掃除機は、集塵ケース１７に取り付ける集塵に関わる部品が、着脱ボタン３０を中間姿勢（前述の図１２の状態）に保持し、かつ集塵ケース１７における着脱ボタン３０の貫通孔５１をシールするシール５４を有するアタッチメント５２から構成されている。すなわち、アタッチメント５２は、着脱ボタン３０の軸部３０ａと爪３０ｂの間のスペースに挿入可能な係止片５６を有し、これによって図１５のように集塵ケース１７の平面部５５と着脱ボタン３０の爪３０ｂを利用し、当該アタッチメント５２を固定できるようにしている。また、アタッチメント５２の背面に脱臭材５８を設け、集塵ケース１７内に溜まったゴミの臭いを取り除くことができるようにしている。さらに、集塵袋使用時（アタッチメント５２を使用しない時）には、アタッチメント５２を図１９のように掃除機本体すなわち集塵室５内の隙間５７へ収納できるようにしている。それ以外の掃除機本体１や集塵ケース１７の構成は全て実施の形態１のものと同一である。
【００３８】
このように、本実施の形態の電気掃除機においては、アタッチメント５２の係止片５６を着脱ボタン３０の軸部３０ａと爪３０ｂの間のスペースに挿入可能に構成し、集塵ケース１７の平面部５５と着脱ボタン３０の爪３０ｂを利用して、当該アタッチメント５２の上下方向の位置を固定できるようにしているので、アタッチメント５２の上下方向の長さを短尺にしても問題は無く、アタッチメント５２の大きさを最小にできる。これにより、アタッチメント５２を集塵室５内の隙間５７へ収納することが可能となっている。
【００３９】
脱臭材５８は、例えばフィルタ状のものを用いれば、両面テープで貼り付ける、またはスリットに挟み込んで固定することが可能となり、簡単に設置することができる。あるいは、アタッチメント５２の材料そのものに脱臭材５８を練り込んで成形することで、アタッチメント５２そのものに脱臭機能を持たせるようにしてもよい。
【００４０】
本実施の形態の電気掃除機においては、ゴミを集塵ケース１７の開閉蓋２７のフィルタ、つまりプレフィルタ２７Ｂとプリーツ状フィルタ２７Ｃによって直接受けるフィルタ集塵方式への変換が可能となり、集塵ケース１７内空間が全て集塵部となるため、集塵部の容積を大きくすることができる。この場合、フィルタがゴミを受けるスピードが速く、目詰まりの可能性が大きく、フィルタのメンテナンスが特に重要となる。フィルタの性能も重要で有り、幾重にもフィルタを重ね合わせたものが主流である。重ね合わされたフィルタは、既述したように上流側が目の粗いタイプ、下流が目の細かいタイプとして、捕集能力を向上させている。しかし、それぞれのフィルタのメンテナンスを十分行わないと、掃除機としての性能が確保されず、フィルタのゴミ詰まりが有ると、ゴミを吸わない状態になる。掃除の時間だけで、フィルタのメンテナンスの時間が取れない使用者の場合、前述した集塵袋の使用も可能であると、メンテナンスの時間が省け、時間を有効に使え、生活価値の有るものになる。
【００４１】
実施の形態３．
図２０は本発明の実施の形態３に係る電気掃除機の集塵ケースに部品（ここでは旋回室アタッチメント）を取り付けた状態を開閉蓋を外して後方より示す斜視図、図２１はその集塵ケースに部品（ここでは旋回室アタッチメント）と開閉蓋を取り付けた状態を側方より示す縦断面図、図２２は集塵ケースに部品（ここでは平板アタッチメントのみ）を取り付けた状態を開閉蓋を外して後方より示す斜視図、図２３はその集塵ケースに部品（ここでは平板アタッチメントのみ）と開閉蓋を取り付けた状態を側方より示す縦断面図であり、各図中、前述の実施の形態２のものと同一機能には同一符号を付してある。なお、説明にあたっては前述の図１〜図１９を参照するものとする。
【００４２】
本実施の形態の電気掃除機は、集塵ケース１７に取り付ける集塵に関わる部品が、集塵ケース１７内を旋回室に形成する旋回室アタッチメント６１であり、集塵ケース１７は、旋回室アタッチメント６１を取り付けることで、集塵ケース１７内に形成される旋回室内でゴミを旋回させて空気から分離するサイクロン式集塵形態への変換を可能としたものである。
【００４３】
これを更に詳述すると、旋回室アタッチメント６１は、穴付き平板アタッチメント６２と、弧状アタッチメント６３とを備えている。このうち、穴付き平板アタッチメント６２は、ケース孔１７ａよりも大きな穴６２ａを有し、この穴６２ａの前端周縁を集塵ケース１７内のケース孔１７ａ周縁、より詳しくはケース孔１７ａにおけるシール部材７０周縁に押し当てた状態で下辺部が集塵ケース１７内の装着溝１７ｅに挿入し、上辺部が着脱ボタン３０と係合可能な平板部６２ｂと、平板部６２ｂの上部に一体化されて集塵ケース１７の頂壁における貫通孔５１を密封するシール部６２ｃと、平板部６２ｂの後端面の上辺の左右２ヶ所に設けた上係止穴６２ｄと、下辺中央の１ヶ所に設けた下係止穴６２ｅとを備えている。
【００４４】
また、弧状アタッチメント６３は、穴付き平板アタッチメント６２の上係止穴６２ｄと係合可能な複数の上爪６３ａと、下係止穴６２ｅと係合可能な下爪（図示せず）を有するとともに、これら上下爪による穴付き平板アタッチメント６２との係合状態を解除するための係合解除ボタン６７が着脱ボタン３０による穴付き平板アタッチメント６２との係合部から離れた側に位置する辺、つまり下辺に設けられている。また、弧状アタッチメント６３には、これにより形成される旋回室６３ｂ内の一側に、図２１のように多数の小孔を有し旋回室内方に向けて先端が縮径する円錐突起６３ｃが配置され、旋回室６３ｂ内に流入した空気が円錐突起６３ｃによって旋回室軸線方向にスパイラル状に流され、空気から分離された微細ゴミは円錐突起６３ｃの小孔から集塵ケース１７内の旋回室６３ｂ外側空間に抜けて、後方の開閉蓋２７のフィルタにて補足され、それよりも大きなゴミは遠心力を利用して旋回室６３ｂ内で分離捕集できるようになっている。それ以外の掃除機本体１や集塵ケース１７の構成は全て実施の形態１のものと同一である。
【００４５】
本実施の形態の電気掃除機において、旋回室アタッチメント６１は、穴付き平板アタッチメント６２の上係止穴６２ｄと下係止穴６２ｅに、弧状アタッチメント６３の上爪６３ａと下爪を差し込むことで組立体として形成される。
【００４６】
サイクロン式集塵形態への変換、つまり旋回室アタッチメント６１の装着は以下のように行われる。まず、掃除機本体１の蓋体６６を開け、集塵室５内より集塵ケース１７を取り出す。次いで、フィルタ開閉ボタン３１により開閉蓋２７を開放して、開口部より集塵ケース１７内に旋回室アタッチメント６１を取り付ける。
【００４７】
旋回室アタッチメント６１の取付は、まず穴付き平板アタッチメント６２の下辺部を装着溝１７ｅに挿入し、その接触ラインを軸として穴付き平板アタッチメント６２上部を回転させて着脱ボタン３０のスロープ形成片部３０ｅを滑らせ、爪３０ｂを超えさせる。これにより、穴付き平板アタッチメント６２すなわち旋回室アタッチメント６１は、裏面側から爪３０ｂにより押圧され、穴付き平板アタッチメント６２の穴６２ａ周縁をケース孔１７ａの内周縁部に押し当てた状態で固定され、サイクロン式集塵形態での集塵が可能となる。
【００４８】
サイクロン式集塵形態からフィルタ集塵方式への変換は以下のように行われる。まず、着脱ボタン３０によって固定されている旋回室アタッチメント６１の弧状アタッチメント６３の下辺にある係合解除ボタン６７を押して、弧状アタッチメント６３の下爪と穴付き平板アタッチメント６２の下係止穴６２ｅとの係合を解き、次いで弧状アタッチメント６３の上爪６３ａを穴付き平板アタッチメント６２の上係止穴６２ｄから抜きながら弧状アタッチメント６３の下部を回転させて、上爪６３ａと上係止穴６２ｄとの係合を解き、弧状アタッチメント６３を穴付き平板アタッチメント６２から離脱させる。これにより、ゴミを集塵ケース１７の開閉蓋２７のフィルタ、つまりプレフィルタ２７Ｂとプリーツ状フィルタ２７Ｃによって直接受けるフィルタ集塵方式への変換が可能となり、集塵ケース１７内空間を全て集塵部とすることができて、集塵部の容積を大きくすることができる。
【００４９】
なお、ここでは旋回室アタッチメント６１を構成する穴付き平板アタッチメント６２を集塵ケース１７内に残す形で、フィルタ集塵方式へ変換するようにしているが、着脱ボタン３０によって旋回室アタッチメント６１を全て取り外し、代わりに前述の実施の形態２で説明したシール５４付きのアタッチメント５２を取り付けてもフィルタ集塵方式へ変換できることは言うまでもない。
【００５０】
また、アタッチメント６１を全て取り外し、代わりに前述の実施の形態１で説明した集塵袋を取り付けることで、集塵袋集塵方式へ変換できることも言うまでもない。
【００５１】
このように、本発明に係る電気掃除機は、集塵袋集塵方式、サイクロン方式、フィルタ方式の３方式全ての希望に対応することが可能となる。
【図面の簡単な説明】
【００５２】
【図１】本発明の実施の形態１に係る電気掃除機の全体構成を示す斜視図である。
【図２】本発明の実施の形態１に係る電気掃除機の掃除機本体の集塵ケース収納時の内部構成を示す縦断面図である。
【図３】図２のＡ部の拡大断面図である。
【図４】本発明の実施の形態１に係る電気掃除機の掃除機本体から蓋体と集塵ケースを取り外した状態を後方より示す斜視図である。
【図５】本発明の実施の形態１に係る電気掃除機の集塵ケースの構成を前方より示す分解斜視図である。
【図６】本発明の実施の形態１に係る電気掃除機の集塵ケースの構成を後方より示す分解斜視図である。
【図７】本発明の実施の形態１に係る電気掃除機の集塵ケースの横断面図である。
【図８】本発明の実施の形態１に係る電気掃除機の集塵ケースの正面図である。
【図９】本発明の実施の形態１に係る電気掃除機の集塵ケースの斜視図である。
【図１０】本発明の実施の形態１に係る電気掃除機の着脱ボタンによる部品係合前の状態を示す要部断面図である。
【図１１】本発明の実施の形態１に係る電気掃除機の着脱ボタンによる欠品検知状態を示す要部断面図である。
【図１２】本発明の実施の形態１に係る電気掃除機の部品取付時の着脱ボタンの状態を示す要部断面図である。
【図１３】本発明の実施の形態１に係る電気掃除機の掃除機本体の集塵室の構成を示す正面図である。
【図１４】図１３のＢ−Ｂ線矢視断面図である。
【図１５】本発明の実施の形態２に係る電気掃除機の集塵ケースにおける部品取付時の着脱ボタンの状態を示す要部断面図である。
【図１６】本発明の実施の形態２に係る電気掃除機の部品を前方より示す斜視図である。
【図１７】本発明の実施の形態２に係る電気掃除機の部品を後方より示す斜視図である。
【図１８】本発明の実施の形態２に係る電気掃除機の部品の上面図である。
【図１９】本発明の実施の形態２に係る電気掃除機の部品不使用時の部品収納形態を示す模式図である。
【図２０】本発明の実施の形態３に係る電気掃除機の集塵ケースに部品を取り付けた状態を開閉蓋を外して後方より示す斜視図である。
【図２１】本発明の実施の形態３に係る電気掃除機の集塵ケースに部品と開閉蓋を取り付けた状態を側方より示す縦断面図である。
【図２２】本発明の実施の形態３に係る電気掃除機の集塵ケースに部品を取り付けた状態を開閉蓋を外して後方より示す斜視図である。
【図２３】本発明の実施の形態３に係る電気掃除機の集塵ケースに部品と開閉蓋を取り付けた状態を側方より示す縦断面図である。
【符号の説明】
【００５３】
１  掃除機本体、２  電動送風機、５  集塵室、１０  ホース接続孔、１７  集塵ケース、１７ａ  ケース孔、１７ｃ  係止面、２７  フィルタ付き開閉蓋、２７Ｂ  プレフィルタ（開閉蓋のフィルタ）、２７Ｃ  プリーツ状フィルタ（開閉蓋のフィルタ）、３０  着脱ボタン、３０ｃ  操作レバー部（着脱ボタンの操作部）、４０  口枠体（集塵に関わる部品）、５２  シール付きアタッチメント（集塵に関わる部品）、５８  脱臭材、５９  突起、６１  旋回室アタッチメント（集塵に関わる部品）、６２  穴付き平板アタッチメント（集塵に関わる部品）、６２ａ  旋回室アタッチメントの穴、６２ｂ  平板部、６２ｃ  シール部、６２ｄ，６２ｅ  係止穴、６３  弧状アタッチメント、６３ａ  弧状アタッチメントの爪、６３ｂ  旋回室、６６  蓋体、６７  係合解除ボタン、６８  リブ。
【図１】
2010029368.tif 000003
【図２】
2010029368.tif 000004
【図３】
2010029368.tif 000005
【図４】
2010029368.tif 000006
【図５】
2010029368.tif 000007
【図６】
2010029368.tif 000008
【図７】
2010029368.tif 000009
【図８】
2010029368.tif 000010
【図９】
2010029368.tif 000011
【図１０】
2010029368.tif 000012
【図１１】
2010029368.tif 000013
【図１２】
2010029368.tif 000014
【図１３】
2010029368.tif 000015
【図１４】
2010029368.tif 000016
【図１５】
2010029368.tif 000017
【図１６】
2010029368.tif 000018
【図１７】
2010029368.tif 000019
【図１８】
2010029368.tif 000020
【図１９】
2010029368.tif 000021
【図２０】
2010029368.tif 000022
【図２１】
2010029368.tif 000023
【図２２】
2010029368.tif 000024
【図２３】
2010029368.tif 000025